(57)【特許請求の範囲】
【請求項１】
洗浄ホースを巻回収容した回動自在な円筒形ハウジングからなる洗浄ホース収容手段を有し、前記洗浄ホースをその軸を中心に回転させつつ前記洗浄ホースの先端に配設されたノズルから高圧の洗浄液を噴射させ、これにより排水管の内周壁に沿って前記ノズルを旋回させて排水管を洗浄するようにした排水管の洗浄装置において、
ガイド手段を介し前記洗浄ホースを前記洗浄ホース収容手段内から引き出す洗浄ホースの引き出し駆動と、前記ガイド手段を介し前記洗浄ホースを前記収容手段内へ引き戻す洗浄ホースの引き戻し駆動とを行うとともに、前記洗浄ホースの引き出し駆動中、または、前記洗浄ホースの引き戻し駆動中に同時に前記洗浄ホースの回転駆動を行う洗浄ホース駆動手段を具え、
前記洗浄ホース駆動手段は、駆動モータと、該駆動モータにより回転駆動される主回転軸と、該主回転軸により回転駆動され前記洗浄ホースをその軸を中心に回転させる回転盤と、該回転盤に配設され、前記回転盤の回転駆動に連動して前記洗浄ホースを引き出し方向、あるいは引き戻し方向へ移動させる洗浄ホース移動手段とからなり、
前記洗浄ホース移動手段は、回転盤の一側面に配設され、前記洗浄ホースが巻回された巻き上げ巻き戻しローラと、該巻回された洗浄ホースを前記巻き上げ巻き戻しローラの表面に常時圧接させるプレッシャーローラと、前記回転盤の回転を前記巻き上げ巻き戻しローラの回転力に変換する動力変換手段とからなることを特徴とする排水管の洗浄装置。
【請求項２】
前記動力変換手段は、前記巻き上げ巻き戻しローラを軸支する軸と、該軸の一端に固着されたウォームホイールと、該ウォームホイールに歯合するウォームギャと、該ウォームギャを一端に固着し前記回転盤に回動自在に支承された駆動軸と、該駆動軸の他端に固着された駆動ギャと、該駆動ギャに歯合する固定された被駆動ギャとからなることを特徴とする請求項１に記載の排水管の洗浄装置。
【請求項３】
前記巻き上げ巻き戻しローラと、前記プレッシャーローラはその径が両端よりも中心部の方が小さいように形成されていることを特徴とする請求項１に記載の排水管の洗浄装置。
【請求項４】
前記ガイド手段は、互いに配置角度が異なった一対の軸と、該一対の軸にそれぞれ支承されたガイドローラとからなり、前記洗浄ホースを前記一対のガイドローラ間に把持し、前記洗浄ホースを前記円筒形ハウジングから引き出す際に前記主回転軸に対して一定の傾斜角度を持ってガイドし、また前記洗浄ホースを前記円筒形ハウジング内へ引き戻す際にも前記主回転軸に対して一定の傾斜角度を持ってガイドすることを特徴とする請求項１に記載の排水管の洗浄装置。
【請求項５】
前記ガイドローラはその径が両端よりも中心部の方が小さいように形成されていることを特徴とする請求項４に記載の排水管の洗浄装置。
【請求項６】
前記円筒形ハウジングは、前記洗浄ホースの引き出し方向の端部において、先端の径が小さくなるように円錐台形状に形成されていることを特徴とする請求項１に記載の排水管の洗浄装置。
【発明の詳細な説明】
【技術分野】
【０００１】
この発明は、マンション、ビル等に配設された排水管等の配管設備を洗浄する排水管洗浄装置に関する。
【背景技術】
【０００２】
近年は、都市部を中心に１０階以上の高層マンション等のビル群が数多く建設されている。
【０００３】
そして、これら高層ビル群の建設に伴い、その内部に配設された縦本管及び横本管等の各種の排水管の洗浄処理が特に重要視されている。
【０００４】
図８は、従来の排水管の洗浄方法を示す高層ビルの排水管の配管構造を示す概念図である。
【０００５】
この高層ビルの排水管は、垂直に配設された縦本管１とその下端に接続された横本管２とから構成され、これら縦本管１、横本管２の径は１０センチ以上の大径の排水管により構成されている。
【０００６】
このうち、縦本管１及び横本管２の洗浄は、本願出願人が先に提出した、従来の洗浄装置４（特開２００１−１８０８７３号、特開２００１−１７０５９１号）により行われている。なお、この旋回洗浄装置４は、高圧の洗浄液を案内する洗浄ホースの収納機能と当該洗浄ホース回転させる回転機能とを有している。
【０００７】
そしてこの従来の洗浄装置４を使用して縦本管１を洗浄する場合は、当該縦本管１の上端１ａに孔１ｂを穿設し、オペレータがその中に高圧の洗浄水６を噴射する噴射ノズル７及び当該噴射ノズル７に高圧の洗浄水を供給する洗浄ホース８を前記洗浄装置４から引き出して挿入し、これにより、噴射ノズル７を一旦縦本管１の下端１ｃまで下降させる。
【０００８】
その後、旋回洗浄装置４により噴射ノズル７から高圧の洗浄水６を噴射させ、かつ旋回洗浄装置４によりホース８を回転させてノズル７を縦本管１の内周壁に沿って旋回させる。
【０００９】
このように、旋回洗浄装置４により噴射ノズル７から高圧の洗浄水６を噴射させ、かつホース８を回転させてノズル７を縦本管１の内周壁に沿って旋回させた後、オペレータが洗浄ホース８を上方に引き上げる操作を行って洗浄装置４内に引き戻し、その間に洗浄ノズル７を前述したように縦本管１の内周壁に沿って旋回させ、噴射ノズル７の先端から噴射された高圧の洗浄水６により縦管１内を洗浄するようにしている。
【００１０】
即ち、従来の洗浄装置４では、排水管を洗浄する際、オペレータが直接洗浄ホース８を洗浄装置４から引き出す引き出し操作と洗浄ホース８を洗浄装置４内へ引き戻す引き戻し操作とが必要である。
【００１１】
なお、上述した高層ビルの排水管を洗浄する場合、噴射ノズル７の洗浄ホース８は、出来るだけ横本管２内に侵入しないよう、洗浄ホース８に横管侵入防止器具９を嵌挿させている。
【００１２】
その理由は、洗浄ホース８は、比較的剛体で湾曲しにくい例えばステンレスホースからなる高圧ホースで形成されており、一旦洗浄ホース８を横本管２内に深く侵入させると、その排水管の折り曲げ部と洗浄ホース８との間の摺動抵抗が大きくなり、このためオペレータが旋回洗浄装置４により、洗浄ホース８を引き上げることが困難となるからである。
【００１３】
なお、縦本管１内に流入した汚物は、重力の作用により下方へ落下するので、当該汚物は縦本管１内には堆積し難い傾向にあるが、縦本管１の下端１ｃに接続された横本管２は縦本管１から落下した汚物を略水平方向へ案内させることから、汚物が横本管２の管壁内周面に堆積し強固に付着し易い傾向にある。  
そのため、横本管２を洗浄するためには、横本管２の下流端２ａから、改めて上述した洗浄装置４の噴射ノズル７を挿入して洗浄するが、上述したように、横本管２内には汚物が管壁の内周面に堆積し強固に付着しているから、噴射ノズル７の先端から噴射された高圧の洗浄水６による一回の洗浄作業のみでは横本管２内に堆積した汚物を洗浄し難く、そのため横本管２を洗浄するためには、高圧の洗浄水６による洗浄作業を複数回繰り返すようにしていた。
【特許文献１】特開２００１−１８０８７３号
【特許文献２】特開２００１−１７０５９１号
【発明の開示】
【発明が解決しようとする課題】
【００１４】
ところで、上述した従来の排水管の洗浄装置４は、洗浄ホースの収納機能と洗浄ホースの回転機能しかなく、従って、排水管を洗浄する場合は、オペレータが比較的剛体で湾曲しにくい例えばステンレスホースからなる洗浄ホース８を、洗浄装置４から直接引き出す引き出し操作と当該洗浄ホース８を洗浄装置４へ引き戻して収容する引き戻し操作の双方が必要である。このためオペレータにとっては、直接洗浄ホース８の引き出しと引き戻し作業を行わなければならないから、その洗浄作業に要する負担が大きく、このため洗浄作業が困難であるばかりでなく、排水管の洗浄作業効率が向上しない大きな要因となっていた。
【００１５】
特に、近年の高層ビルに配設された長い排水管を洗浄する場合は、上述した傾向は一層強まる傾向にある。
【００１６】
この発明は、上述した事情に鑑み、オペレータによる排水管の洗浄作業に要する負担を可及的に低減させ、排水管の洗浄作業効率を一層向上させるようにした排水管の洗浄装置を提供することを目的とする。
【課題を解決するための手段】
【００１７】
上述した課題を解決するため、本願発明では、洗浄ホースを巻回収容した回動自在な円筒形ハウジングからなる洗浄ホース収容手段を有し、前記洗浄ホースをその軸を中心に回転させつつ前記洗浄ホースの先端に配設されたノズルから高圧の洗浄液を噴射させ、これにより排水管の内周壁に沿って前記ノズルを旋回させて排水管を洗浄するようにした排水管の洗浄装置において、ガイド手段を介し前記洗浄ホースを前記洗浄ホース収容手段内から引き出す洗浄ホースの引き出し駆動と、前記ガイド手段を介し前記洗浄ホースを前記収容手段内へ引き戻す洗浄ホースの引き戻し駆動とを行うとともに、前記洗浄ホースの引き出し駆動中、または、前記洗浄ホースの引き戻し駆動中に同時に前記洗浄ホースの回転駆動を行う洗浄ホース駆動手段を具え、前記洗浄ホース駆動手段は、駆動モータと、該駆動モータにより回転駆動される主回転軸と、該主回転軸により回転駆動され前記洗浄ホースをその軸を中心に回転させる回転盤と、該回転盤に配設され、前記回転盤の回転駆動に連動して前記洗浄ホースを引き出し方向、あるいは引き戻し方向へ移動させる洗浄ホース移動手段とからなり、前記洗浄ホース移動手段は、回転盤の一側面に配設され、前記洗浄ホースが巻回された巻き上げ巻き戻しローラと、該巻回された洗浄ホースを前記巻き上げ巻き戻しローラの表面に常時圧接させるプレッシャーローラと、前記回転盤の回転を前記巻き上げ巻き戻しローラの回転力に変換する動力変換手段とからなることを特徴としている。
【発明の効果】
【００１８】
上述した本願発明に係る排水管の洗浄装置では、洗浄ホースの引き出し、引き戻し、および洗浄ホースの回転の各駆動を行う洗浄ホース駆動手段を具えているから、オペレータは、従来の如く例えば比較的剛体で湾曲しにくいステンレスホースからなる洗浄ホースを使用した場合でも、その引き出し及び引き戻し作業が不要となり、このため排水管の洗浄作業が極めて簡単となり、排水管の洗浄作業性を飛躍的に向上させることが出来る。
【発明を実施するための最良の形態】
【００１９】
以下、この発明に係る排水管の洗浄装置の一実施例を詳述する。
【００２０】
図１はこの発明に係る排水管の洗浄装置１０を示す概念一部破断正面図で図８と同一部分を同一符合で示す。
【００２１】
この排水管の洗浄装置（以下単に洗浄装置という）１０は、大別して高圧の洗浄液を案内する洗浄ホース８を内周面に巻回収容した回動自在な円筒形ハウジング１１からなる洗浄ホース収容手段１２と、洗浄ホース８を前記円筒形ハウジング１１内から引き出す洗浄ホースの引き出し駆動と、前記洗浄ホース８を前記円筒形ハウジング１１内へへ引き戻す洗浄ホースの引き戻し駆動と、さらに前記洗浄ホース８の引き出しと引き戻し駆動中に前記洗浄ホース８を、その中心軸を中心に回転駆動する洗浄ホース駆動手段２０とから構成されている。
【００２２】
このうち、洗浄ホース収容手段１２の円筒形ハウジング１１は、矩形状の基礎台１３に立設した取付け板１４に、ハウジング１１の中心軸を回動自在に支承する軸受手段１５を介して回動自在に支承されている。なお、前記取付け板１４、軸受手段１５、ハウジング１１の各中心には図示せぬ貫通孔が形成され、この貫通孔を介して洗浄ホース８の始端は高圧の洗浄液を案内するガイドパイプ１６に連通している。なお、このパイプ１６の始端には、洗浄液を高圧で圧送するコンプレッサ等により構成された図示せぬ洗浄液圧送装置が連結されていることは言うまでもない。
【００２３】
次に洗浄ホース駆動手段２０について説明する。
【００２４】
洗浄ホース駆動手段２０は、図１に示すように、基礎台１３上に固定設置された固定板２１を介して、前記基礎台１３上に設置されている。
【００２５】
この洗浄ホース駆動手段２０は、前記固定板２１上に互いに対向する一対の取付け板２２、２３間に軸支された一本の主回転軸２４と、この回転軸２４を回転させる駆動モータ２５とから構成されている。
【００２６】
図２は、上述した洗浄ホース駆動手段２０の詳細を示す拡大側面図である。
【００２７】
固定板２１上に互いに対向して配設された一対の取付け板２２、２３との間には一本の主回転軸２４が回動自在に支承されており、その中心には洗浄ホース８が嵌挿する嵌挿孔２４ａが形成されている。また前記駆動モータ２５は、一方の取付け板２２に固着された支承板２６を介して前記一方の取付け板２２に取り付け固定されている。
【００２８】
上述した主回転軸２４には、その左端に第１の被駆動ギャ３０が固着され、また他方の取付け板２３には第２の被駆動ギャ３１が固定されている。
【００２９】
さらに上述した主回転軸２４の右端には、後述する円形の回転盤４０の中心が固着されている。
【００３０】
上述した洗浄ホース駆動手段２０の動力伝達構造によると、駆動モータ２５が駆動され、ピニオンギャ２５ａが回転すると、これに歯合する第１の被駆動ギャ３０を介して主回転軸２４が回転する。
【００３１】
そして、この主回転軸２４が回転すると、その右先端に固着された回転盤４０も主回転軸２４に従動して同一方向へ回転することとなる。
【００３２】
一方、この回転盤４０には、矢印Ａで示すように、洗浄ホース８を前記円筒形ハウジング１１内から引き出す引き出し方向、あるいは矢印Ｂのように洗浄ホース８を前記円筒形ハウジング１１内へ収納させるために引き戻す引き戻し方向へ移動させる洗浄ホース移動手段５０が配設されている。
【００３３】
この洗浄ホース移動手段５０は、回転盤４０の一側面に、軸中心を境に互いに対向するように立設された一対の軸受板５１と、この一対の軸受板５１間に回動自在に支承された回転軸５２と、この回転軸５２に固着された断面略糸巻き形状の巻き上げ巻き戻しローラ５３とから構成されている。なお、この巻き上げ巻き戻しローラ５３はゴム等の弾性体により形成されている。
【００３４】
なお、この巻き上げ巻き戻しローラ５３には、洗浄ホース８が一巻き巻回され、さらに巻回された当該洗浄ホース８の先端は、図１に示すようにガイドパイプ６０内を嵌挿して装置１０の前方へ延設されている。
【００３５】
一方、回転盤体４０の正面図で示す図３のように、この巻き上げ巻き戻しローラ５３の表面には、巻回された洗浄ホース８を前記巻き上げ巻き戻しローラ５３の表面に常時圧接させるこれも断面糸巻き形状のプレッシャーローラ５４が配設されている。
【００３６】
なお、このプレッシャーローラ５４は、具体的には、前記一対の軸受板５１間に固着された断面コの字形状の取り付け部材５５内に支承されている。そして、この取付け部材５５内には一対の取付板５６が固着され、この一対の取付板５６には、その長手方向に沿ってそれぞれガイドスリット５６ａが形成されている。
【００３７】
一方、プレッシャーローラ５４には軸５４ａが固着され、この軸５４ａは断面コの字形状の支持部材５７に回動自在に支承されている。そして、前記軸５４ａの両端は対応する前記取付板５６の前記ガイドスリット５６ａ内に嵌挿している。
【００３８】
従って、プレッシャーローラ５４は、支持部材５７を介して巻き上げ巻き戻しローラ５３の表面へ向けてスライド自在に支承されている。
【００３９】
また、前記取付け部材５５の内周面と前記支持部材５７の上面との間にはコイルバネ５８が配設され、このコイルバネ５８の付勢力により矢印Ｃで示すように、プレッシャーローラ５４は巻回された洗浄ホース８を前記巻き上げ巻き戻しローラ５３の表面へ向け常時圧接している。
【００４０】
また、上述した回転盤４０には、図２に示すように駆動モータ２５の回転力を前記巻き上げ巻き戻しローラ５３の軸５２を中心とした回転力に変換する動力変換手段７０が配設されている。
【００４１】
この動力変換手段７０は、図３に示すように、巻き上げ巻き戻しローラ５３を軸支する軸５２の一端に固着されたウォームホイール７１と、このウォームホイール７１に歯合するウォームギャ７２とから構成されている。
【００４２】
そして、このウォームギャ７２は、図２で示すように、回転盤４０に固着された軸受７３を介して前記回転盤４０に回動自在に支承された駆動軸７４の一端に固着されている。なお、この駆動軸７４の他端には、駆動ギャ７５が固着され、この駆動ギャ７５は取付け板２３に固定された第２の被駆動ギャ３１と歯合している。
【００４３】
なお、図２で符号８０は、主回転軸２４の取付け板２２からの脱落を防止する抜け止めナットであり、また図３で符号８１は、主回転軸２４を中心とした回転盤４０のスムーズな回転を確保するためのバランスウエイトである。
【００４４】
次に、上述した洗浄ホース駆動手段２０の動作を説明する。
【００４５】
図２に示す、駆動モータ２５が駆動すると、ピニオンギャ２５ａを介して第１の被駆動ギャ３０が回転し、これにより主回転軸２４が回転することとなる。
【００４６】
そして、この主回転軸２４が回転すると、その右先端に固着された回転盤４０も同時に回転する。
【００４７】
このように、回転盤４０が回転を開始すると、動力変換手段７０の駆動ギャ７５が、固定された第２の被駆動ギャ３１の歯面に添って移動し、これにより駆動軸７４が同時に回転を開始する。
【００４８】
このように、回転盤４０の回転に伴って駆動ギャ７５が回転すると、駆動軸７４も回転し、その先端に固着されたウォームギャ７２を回転させる。このように、ウォームギャ７２が回転すると、図３に示すように、これに歯合するウォームホイール７１が回転を開始し、軸５２を介して巻き上げ巻き戻しローラ５３の回転が開始されることとなる。
【００４９】
このように、巻き上げ巻き戻しローラ５３が回転を開始すると、その回転方向によって異なるが、この巻き上げ巻き戻しローラ５３に巻回された洗浄ホース８は、図２の矢印Ａで示す引き出し方向、あるいは矢印Ｂの引き戻し方向へ移動することとなる。
【００５０】
なお、この洗浄ホース８の移動の際、図３で示すように、巻き上げ巻き戻しローラ５３はゴム等の弾性体で形成されているから、洗浄ホース８は巻き上げ巻き戻しローラ５３に対してスリップすることなくその回転に追従して確実に移動する。
【００５１】
さらに洗浄ホース８は、断面糸巻き形状をしている巻き上げ巻き戻しローラ５３とプレッシャーローラ５４間に把持されるから、洗浄ホース８は巻き上げ巻き戻しローラ５３上の一定位置を常時通過するように移動することとなる。
【００５２】
さらに、洗浄ホース駆動手段２０の駆動により洗浄ホース８が移動している間は、回転盤４０は、図４、図５で示すように、常に主回転軸２４を中心に回転するから、この回転盤４０の回転に伴って、洗浄ホース８は、その長手方向の軸心を中心に回転することとなる。
【００５３】
即ち、上述した洗浄ホース駆動手段２０では、図２に示す駆動モータ２５が一方向に回転駆動すると、例えば矢印Ａで示す前記洗浄ホース８の引き出し駆動と、前記洗浄ホース８を回転させる洗浄ホースの回転駆動とが行われ、また駆動モータ２５が他方行に回転駆動されると、例えば矢印Ｂで示す前記洗浄ホース８の引き戻し駆動と、前記洗浄ホース８を回転させる洗浄ホースの回転駆動とがそれぞれ行われることとなる。
【００５４】
なお、図１で符号９０は、円筒形ハウジング１１の内周面に巻回された洗浄ホース８を引きだす際、あるいは洗浄ホース８を引き戻して前記円筒形ハウジング１１の内周面内に巻回させて収納する際に、当該洗浄ホース８が円筒形ハウジング１１の開口１１ａに対し一定の傾斜角を持つようにガイドするガイド手段である。
【００５５】
なお、円筒形ハウジング１１の開口１１ａに対し洗浄ホース８を一定の傾斜角を持つようにガイドするガイド手段９０を設ける理由は以下の通りである。
【００５６】
ここで使用される洗浄ホース８は、高圧で圧送される洗浄液の内部圧力に耐えうるよう、比較的剛体で湾曲しにくい例えばステンレスホースから構成されているから、この洗浄ホース８の引き出しに伴い、当該洗浄ホース８に作用する引っ張り力に応じて円筒形ハウジング１１を回転させつつ当該円筒形ハウジング１１内から洗浄ホース８を引き出したり、あるいは洗浄ホース８の引き戻しに伴い、当該洗浄ホース８に作用する押圧力に応じて円筒形ハウジング１１を回転させつつ当該円筒形ハウジング１１内に洗浄ホース８をスムーズに巻回収納するには、ハウジング１１の開口１１ａに対し洗浄ホース８を一定の傾斜角を持つようにガイドして移動することが必要であるからである。
【００５７】
上述したガイド手段９０は、図６で示すように、互いに軸９１，９２の配置角度が異なった一対のガイドローラ９３，９４とから構成され、洗浄ホース８はこの一対のガイドローラ９３，９４との間に把持されている。なお、この一対のガイドローラ９３，９４もその断面形状が糸巻き形状に形成され、洗浄ホース８が一定傾斜角を持って一定位置を通過するように構成されている。
【００５８】
なお、図６で符号９５は、上方のガイドローラ９４を下方のガイドローラ９３に付勢するコイルスプリングである。なお、上方のガイドローラ９４の支持構造は、図３に示すプレッシャーローラ５４の支持構造と同一なのでその詳細な説明は省略する。
【００５９】
次に、上述した排水管の洗浄装置１０の作用を説明する。
【００６０】
まず図８で示すように、縦本管１を洗浄する場合は、当該縦本管１の上端１ａに孔１ｂを穿設する。
【００６１】
次にオペレータは。図１に示す本願発明に係る洗浄装置１０の駆動モータ２５を駆動させる。なお、この場合、オペレータは、図２の矢印Ａで示すように、洗浄ホース８を図１の円筒形ハウジング１１内から引き出す引き出し方向に駆動モータ２５回転させる。
【００６２】
すると  図２に示す、ピニオンギャ２５ａを介して第１の被駆動ギャ３０が回転し、さらに主回転軸２４が回転する。この主回転軸２４が回転すると、その右先端に固着された回転盤４０が同時に回転する。
【００６３】
このように、回転盤４０が回転を開始すると、動力変換手段７０により軸５２を介して巻き上げ巻き戻しローラ５３が回転を開始することとなる。
【００６４】
即ち、図１に示す洗浄ホース８を円筒形ハウジング１１内から引き出す方向に巻き上げ巻き戻しローラ５３が回転すると、円筒形ハウジング１１内に巻回収容された洗浄ホース８はガイド手段９０を介して図面右方向へ引き出され、、同時に回転盤４０の回転により洗浄ホース８はその軸中心を中心に回転を開始する。なお円筒形ハウジング１１も、引き出される洗浄ホース８の引長力によって軸１５を中心に回転し、洗浄ホース８のスムーズな引き出しが行われる。
【００６５】
このように図１の図面右方向へ洗浄ホース８が回転しつつ引き出されると、その洗浄ホース８は、装置１０の先端に配設されたガイドローラ１００によりその進行方向を下方に変換される。
【００６６】
一方、当該洗浄ホース８の先端に配設されたノズル７は、前記縦本管１の上端１ａに孔１ｂ内に嵌挿された後、洗浄ホース８に連動して回転しつつ、図８に示す縦本管１の下端１ｃに移動する。その後、駆動モータ２５の駆動を一旦停止させる。
【００６７】
次に、オペレータは旋回洗浄装置１０を介して噴射ノズル７から高圧の洗浄水６を噴射させた後、再び洗浄装置１０の駆動モータ２５を駆動させる。なお、この場合、オペレータは、前回とは逆に図２の矢印Ｂで示すように、洗浄ホース８を図１の円筒形ハウジング１１内へ収容すべく、洗浄ホース８を引き戻す引き戻し方向に駆動モータ２５回転させる。
【００６８】
すると  前述したのと同様に、主回転軸２４が回転して、その右先端に固着された回転盤４０を今度は前回とは反対方向へ回転する。
【００６９】
このように、回転盤４０が前回とは反対の方向へ回転を開始すると、動力変換手段７０により軸５２を介して巻き上げ巻き戻しローラ５３が前回とは逆方向、即ち、図１に示す洗浄ホース８を円筒形ハウジング１１内へ収容する引き戻し方向へ巻き上げ巻き戻しローラ５３を回転させる。
【００７０】
このように、巻き上げ巻き戻しローラ５３が洗浄ホース８を円筒形ハウジング１１内へ収容する引き戻し方向（図２の矢印Ｂ）に回転すると、洗浄ホース８はガイド手段９０を介して円筒形ハウジング１１内へ進入を開始し、同時に洗浄ホース８は回転盤４０の回転によりその軸中心を中心に回転を開始する。なお円筒形ハウジング１１は、引き戻される洗浄ホース８の押圧力により軸１５を中心に回転し、またガイド手段９０により洗浄ホース８はスムーズに巻回収容される。
【００７１】
このように図１の図面左へ洗浄ホース８が回転しつつ引き戻されると、当該洗浄ホース８の先端に配設されたノズル７は洗浄ホース８に連動して回転しつつ縦本管１の上方に移動する。
【００７２】
このノズル７の上方への移動の際には、当該ノズル７は洗浄ホース８に連動して回転するので、ノズル７は高圧の洗浄水６を噴射させつつ縦本管１の内周壁に沿って旋回し、これにより当該ノズル７の先端から噴射された高圧の洗浄水６により縦管１内が洗浄されることとなる。
【００７３】
そして、ノズル７が、当該縦本管１の上端１ａの位置に移動した際に、駆動モータ２５の作動を停止させて、排水管の洗浄作業を停止させる。
【００７４】
従って、本願の装置１０による、排水管の洗浄作業において、洗浄ホース８の引き出し引き戻しは作業は、装置１０が行うので、オペレータは、その引き出し及び引き戻し作業が全く不要となり、このためオペレータの作業負担が著しく低減し、このため排水管の洗浄作業が極めて簡単となるばかりでなく、排水管の洗浄作業性を飛躍的に向上させることが出来ることとなる。
【００７５】
また、高層ビルの排水管を洗浄する場合は、排水管の長さも長く、その分洗浄ホース８の長さがも長くなって、その重量も大きくなるが、洗浄ホース８の引き出し引き戻し作業は装置１０が行うから、オペレータの負担は軽く、その作業効率が一層向上することとなる。
【００７６】
なお、上記実施例では、図１で示すように、洗浄ホース８を巻回収容する円筒形ハウジング１１を開口１１ａを有する単なる円筒形に形成するようにしたが、この円筒形ハウジング１１は、上記実施例にかかわらず図７に示すように、円筒形ハウジング１１を鳥籠形状に形成するようにしても良い。
【００７７】
このように円筒形ハウジング１１を鳥籠形状に形成すると、先端１１ｂが円錐台形状に形成され、さらにその先端の部分に洗浄ホース８を挿脱する開口１１ａが比較的小さく形成されるから、洗浄ホース８を挿脱する際、当該洗浄ホース８が開口１１ａからはみ出る虞を可及的に低減することができるとともに、円筒形ハウジング１１が鳥籠形状であるから、その周面に多くの隙間１１ｃが形成され、これにより、仮に洗浄ホース８が円筒形ハウジング１１内で絡まった場合は、その隙間１１ｃからオペレータが手を入れる等の操作により、これを簡単に解消することができることとなる。
【産業上の利用可能性】
【００７８】
以上説明したように、この発明は、オペレータによる排水管の洗浄作業性を一層向上させ、排水管の洗浄作業効率を一層向上させるようにした排水管の洗浄装置に適している。
【図面の簡単な説明】
【００７９】
【図１】図１はこの発明に係る洗浄装置全体の一部破断概念側面図。
【図２】図２はこの発明に係る洗浄ホース駆動手段の拡大側面図。
【図３】図３はこの発明に係る洗浄ホース駆動手段の拡大正面図。
【図４】図４は、この発明に係る洗浄ホース駆動手段の動作を示す正面図。
【図５】図５は、この発明に係る洗浄ホース駆動手段の動作を示す正面図。
【図６】図６は、洗浄ホースのガイド手段を示す概念斜視図。
【図７】図７は円筒形ハウジングの他の実施例を示す図。
【図８】図８は、高層ビルの配管状態とその洗浄方法を示す図。
【符号の説明】
【００８０】
１…排水管
６…洗浄液
７…ノズル
８…洗浄ホース
１０…排水管の洗浄装置
１１…円筒形ハウジング
１２…洗浄ホース収容手段
２０…洗浄ホース駆動手段
２４…主回転軸
２５…駆動モータ
３１…被駆動ギャ
４０…回転盤
５０…洗浄ホース移動手段
５２…軸
５３…巻き上げ巻き戻しローラ
５４…プレッシャーローラ
７０…動力変換手段
７１…ウォームホイール
７２…ウォームギャ
７４…駆動軸
７５…駆動ギャ
９０…ガイド手段
９１，９２…一対の軸
９３，９４…ガイドローラ
【図１】
0005135626.tif 000002
【図２】
0005135626.tif 000003
【図３】
0005135626.tif 000004
【図４】
0005135626.tif 000005
【図５】
0005135626.tif 000006
【図６】
0005135626.tif 000007
【図７】
0005135626.tif 000008
【図８】
0005135626.tif 000009